(57)【特許請求の範囲】
【請求項１】
円筒形の周壁の上端に円錐形の屋根を設け、屋根の頂部に採光可能な昇降蓋付きの排気口を備え、周壁の構成について、外板と内板との間に挟まれる芯材として円周に沿ってパイプを配列し、パイプを下端で外気に開口させ、そのパイプの上端を屋根板と裏板との間を介して排気口に通気させ、昇降蓋の上下により排気調整可能としたことを特徴とする宿泊小屋としての仮宿泊施設。
【発明の詳細な説明】
【０００１】
【発明の属する技術分野】
この発明は、沿道、スキー場、キャンプ場、温泉等における短期または長期滞在の仮宿泊施設に関する。
【０００２】
【従来の技術】
仮宿泊施設は、いわゆる旅館やホテルと称される一般的な建築構造である場合も多いが、情緒的なログハウスや簡易なカプセルホテルも多くなっている。また、原則として賄い無しであるので、非常に簡素化されている場合もあるが、自炊できるようにその設備を整え家庭的な宿泊小屋を造り、小屋が散在する宿泊村が構成されることも多い。
【０００３】
ログハウスは、丸太で組み立てた小屋であるために、断熱性に優れ、また、自炊やトイレ等の設備を整えるのに適しているが、建築費がコスト高となる。また、カプセルホテルの場合であると、建築費が非常に安価であるが、情緒的に欠けることはもちろん、自炊やトイレ等の設置に適しなく、また、換気性が悪く、しかも、断熱性に欠け、殊に、直射日光に当たると暑くなり、これを空調設備により補うにしても、快適性に欠けることになるという問題があった。
【０００４】
【発明が解決しようとする課題】
この発明は、上記のような実情に鑑みて、建築費が安価であるにもかかわらず、断熱性、換気性が良好であり、また、自炊やトイレ等の生活設備の設置も適する仮宿泊施設を提供することを目的とした。
【０００５】
【課題を解決するための手段】
上記の目的を達成するために、この発明は、円筒形の周壁の上端に円錐形の屋根を設け、屋根の頂部に採光可能な昇降蓋付きの排気口を備え、周壁の構成について、外板と内板との間に挟まれる芯材として円周に沿ってパイプを配列し、パイプを下端で外気に開口させ、そのパイプの上端を屋根板と裏板との間を介して排気口に通気させ、昇降蓋の上下により排気調整可能とした宿泊小屋としての仮宿泊施設を提供するものである。
【０００６】
仮宿泊施設を上記のように構成したから、側壁の芯材としてのパイプには、煙突効果によって外部の空気が下から上へ抜けることによって、周壁内部の空気の過熱を防止し、夏期には室内を涼しく保つことができる。また、冬期には昇降蓋の調整によって排気の停止または抑制をすることによって、パイプ内に空気を保存させて断熱性を高め、室内を温かく保つことができる。
【０００７】
【発明の実施の形態】
この発明において、周壁１ばかりでなく屋根３にもパイプ１０、１１を通すことがあり、そうすれば、さらに室内の温度を快適に保つことができる。パイプ１０、１１の材質については、ポリエチレン等の合成樹脂、アルミ等の金属が適当であるが、紙屑、木屑等の再生紙であっても強度等の面で十分に使用でき、その材質によってさらに断熱性を高め得る。
【０００８】
また、周壁１の外板１２や内板１３、屋根３の屋根板１５や裏板１６には、アルミ板、鉄板、合成樹脂板等が使用される。このような簡単な材料であっても、周壁１を円筒形に、屋根３を円錐形にすることによって、強度的に安定した構造となる。また、３個以上の小屋の仮宿泊施設Ｐａを固まりとして放射方向の位置に配列し、その中心に支柱４９を立て、それから放射方向に突出する支持パイプ５１を小屋本体または基礎９に固定すると、小屋が転倒しない安定性が得られる。また、固まりにすることによって、小屋を寝室、台所、トイレ、居間等に分けて都合良く使用できる。
【０００９】
【発明の効果】
以上説明したように、この発明の仮宿泊施設によれば、ありふれた材料の簡単な構成によって強度的安定性が得られることから、安価に構築でき、しかも、室内を快適に保持することができ、また、自炊やトイレ等の生活設備の設置にも適するという優れた効果がある。
【００１０】
【実施例】
次に、この発明の実施例を図面に基づいて説明する。
【００１１】
図１および図２は、この発明に基本的な小屋としての単体の仮宿泊施設Ｐａを示すもので、図３がその小屋の仮宿泊施設Ｐａ，Ｐａ，・・を配置した全体的な仮宿泊施設Ｐを示す一例のレイアウトである。
【００１２】
小屋としての仮宿泊施設Ｐａは、円筒形の周壁１の上に円錐形の屋根３を設け、屋根３の頂部に採光兼用の排気口5が備えられる。また、床７の下には全体を受ける基礎９が設けられ、周壁１にはドア８付きの出入口６が設けてある。
【００１３】
周壁１は、ポリエチレンの樹脂パイプ１０を円周に沿って配列し、その配列を外板１２と内板１３とで囲って構成される。また、屋根３についても、樹脂パイプ１１を周囲から中心に集めて放射状に配列し、屋根板１５と天井の裏板１６とで囲って構成され、パイプ１１の上端が排気口５に開口している。
【００１４】
基礎９を巾狭くすることによって、周壁１のパイプ１０が周囲において下端１４に開口している。また、屋根３のパイプ１１が周壁１のパイプ１０と連通している。そこで、周壁１のパイプ１０の１部について屋根３のパイプ１１を通して排気口５に空気が抜ける。また、他のパイプ１０については、屋根板１５と裏板１６との間から排気口５に抜ける。そして、パイプ１０、１１が円形であることから、外板１２と内板１３との間、屋根板１５と天井板１６との間には、それぞれ隙間を有し、周壁１の隙間も下端１４に抜けているので、その隙間により周壁１および屋根３内の空気が排気口５に抜けるようになっている。
【００１５】
排気口５は、昇降蓋１９付きであって、屋根壁１５と連結される外筒２１と、裏板１６と連結される低い円筒２２とからなり、外筒２１には網状に多数の通気孔２３が形成されている。
【００１６】
昇降蓋１９は、上面に採光のガラス２５を有するもので、周囲には外筒２１に嵌まる蓋筒２７を有し、それにも通気孔２３が開けられている。そこで、両方の通気孔２３、２３が合わされることによって排気がなされるが、昇降蓋１９が持ち上がるとさらに排気量が多くなる。昇降蓋１９の上下については、その中心に支持部材２９を垂設し、天井にはその支持部材２９を上下するターンバックルによる昇降装置３１が設けられる。なお、室内には二段ベッド３６を設け、この場合は寝室となっている。
【００１７】
図３に示す仮宿泊施設Ｐは、道路３７に沿って建設される宿泊村で、サービスハウス３９に通じる長い渡り廊下４１を配置し、小屋の仮宿泊施設Ｐａについては、４箇づつの固まりにして、渡り廊下４１に沿って左右交互に千鳥状に配列され、また、休憩室４３も交互に配列される。４５は駐車場、４６は植込みである。なお、サービスハウス３９には、食堂（レストラン）、風呂、管理室、厨房等が置かれている。
【００１８】
仮宿泊施設Ｐａの４箇の固まりについては、図４に示すように、中心に支柱４９を立設し、それを中心に配置したもので、支柱４９より四方へ仮宿泊施設Ｐａの支持パイプ５１が突設されている。
【００１９】
渡り廊下４１の一部の接続口には仮宿泊施設Ｐａへの通路６３が嵌着され（図４）、一部の接続口には休憩室４３が嵌着される。
【図面の簡単な説明】
【図１】  この発明の小屋としての仮宿泊施設を一部切欠し昇降蓋が分離された状態で示す斜視図である。
【図２】  同仮宿泊施設の縦断面図である。
【図３】  同仮宿泊施設の使用例について、村としての仮宿泊施設を示すレイアウトとしての平面図である。
【図４】  同平面図の一部拡大した説明図である。
【符号の説明】
Ｐ  村としての仮宿泊施設
Ｐａ  小屋としての仮宿泊施設
１  周壁
３  屋根
５  排気口
１０，１１  パイプ
１２  外板
１３  内板
１５  屋根板
１６  裏板
１９  昇降蓋
【図１】
0003797594.tif 000002
【図２】
0003797594.tif 000003
【図３】
0003797594.tif 000004
【図４】
0003797594.tif 000005